(57)【要約】【解決手段】ビスＤで壁Ａに直接台座を取り付けた後、その上からそれを覆い隠すようにクロスＢを貼る。そして、台座に形成されている隆起もしくは窪みを壁Ａに貼り付けたクロスＢの上から確かめながら、貼付後のクロスＢで隠れている台座の位置を壁Ａに貼り付けたクロスＢの上から確認する。この台座の隆起もしくは窪みに向けて、ブラケットの取付座に形成されている窪みもしくは隆起物を押し付ける。【効果】カッターを使用しないでそのまま壁にクロスを貼ることができる。従って、従来必ず行わなければならなかった厄介なクロスカットを一切無くすることができる。そして、クロスＢをカットすることなく、手すりをいわゆる後付けで簡単に取り付けることができ、かつ、施工スピードをアップさせることができ、仕上がりも綺麗になる。【選択図】  図１２
2004324231.tif 000002
【特許請求の範囲】
【請求項１】
壁Ａに沿って手すり部材Ｃを固定するための機構であって、ビスＤで壁Ａに直接定着させ得る台座と、壁Ａに取り付けた後のこの台座にその上からそれを覆い隠すように貼ったクロスＢを通して取付ねじＥで取り付け得る取付座がブラケットに備えられており、ビスＤで壁Ａに直接取り付けられている台座の上からそれを覆い隠すようにクロスＢを貼り、このクロスＢで隠れている台座とその上に重ね合わせる取付座の位置関係を定める目印としてのビスＤの頭のほかに、台座の一部を隆起もしくは窪ませるとともに、この隆起もしくは窪みと嵌合ないし係合する窪みもしくは隆起物を前記取付座に形成したことを特徴とする手すり固定機構。
【請求項２】
台座の外径よりブラケットの取付座を大きくするとともに、この取付座の下面に台座を嵌入させ得る窪みを形成したことを特徴とする請求項１記載の手すり固定機構。
【請求項３】
台座の隆起物が台座とブラケットの取付座の係合手段である突起であり、この突起を嵌入させ得る切欠孔がブラケットの取付座に形成されていることを特徴とする請求項１又は２記載の手すり固定機構。
【請求項４】
台座の隆起物が半円状の突起であり、これと嵌合させ得る半円状の窪みが取付座に形成されていることを特徴とする請求項１又は２記載の手すり固定機構。
【請求項５】
台座の窪みが台座とブラケットの取付座の係合手段である切欠孔であり、この切欠孔に嵌入させ得る突起がブラケットの取付座に形成されていることを特徴とする請求項１又は２記載の手すり固定機構。
【請求項６】
取付座に取付ねじ挿通部を形成し、台座にはこの取付ねじ挿通部に対峙する部位にねじ孔を形成したことを特徴とする請求項１から５のいずれかに記載の手すり固定機構。
【請求項７】
台座とブラケットの取付座の係合手段である突起と切欠孔とが左右対称的であり、しかも、それらを方形状とすることを特徴とする請求項３又は５記載の手すり固定機構。
【請求項８】
台座とこれに結合させるブラケットの取付座との嵌合ないし係合部分に、壁に貼り付けるクロスの厚み分の隙間が形成されていることを特徴とする請求項１から７のいずれかに記載の手すり固定機構。
【請求項９】
方形状の切欠孔と方形状の突起を、上方に行くに従って外側を向くように傾斜させることを特徴とする請求項７記載の手すり固定機構。
【請求項１０】
方形状の突起の上側の幅Ｗを下側の幅ｗより若干大きく形成することを特徴とする請求項７又は９記載の手すり固定機構。
【請求項１１】
ビスＤで壁Ａに直接定着させ得る台座と、壁Ａに取り付けた後のこの台座にその上からそれを覆い隠すように貼ったクロスＢを通して取付ねじＥで取り付け得る取付座を有するブラケットとからなる手すり固定機構を壁Ａに取り付ける方法であって、ビスＤで壁Ａに直接取り付けられている台座の上からそれを覆い隠すようにクロスＢを貼り、このクロスＢで隠れている台座から突出しているビスＤの頭あるいは台座に形成されている隆起もしくは窪みのうちの少なくとも一つを、クロスＢで覆われていて見えない台座とクロスＢを介してその上に重ね合わせる取付座の位置関係を定める目印としてクロスＢの上から確認し、この台座の隆起もしくは窪みに向けて、ブラケットの取付座の窪みもしくは隆起物を押し付けることを特徴とする手すり固定機構を壁に取り付ける方法。
【請求項１２】
クロスＢの上から確認できる取付後の台座の隆起もしくは窪みに向けて、ブラケットの取付座に形成されている窪みもしくは隆起物を押し付け、ブラケット取付時のその動作と力で、壁Ａに取り付けた台座の上からそれを覆い隠すように貼り付けられているクロスＢを台座とブラケットの取付座との間に密着させることを特徴とする請求項１２記載の手すり固定機構を壁に取り付ける方法。
【発明の詳細な説明】
【０００１】
【発明の属する技術分野】
本発明は、壁に貼り付けたクロスをカットすることなく、壁に沿って手すり部材を固定するための機構、さらに詳しくは、いわゆる手すりの後付けを可能ならしめた機構、ならびに、壁に貼り付けたクロスをカットすることなく、この手すり固定機構を壁に取り付ける方法に関するものである。
【０００２】
【従来の技術】
壁に沿って手すり部材を取り付けには、通常、手すり取付用のブラケットが用いられている。長いビスを壁にねじ込むことによりこのブラケットを壁に取り付けることができるが、クロスを貼るに当っては手すり部材とともにこのブラケットを一旦外さなければならない。
一方、廊下や階段その他の壁面に取り付けられる手すりについては、簡単に取り外すことができるとともに、簡単に後付けできることが望まれている。その理由の１つは、家具等を搬入する場合など廊下や階段が狭いと家具等を搬入することができないので、手すりを外して行うことが多いからである。
【０００３】
【発明が解決しようとする課題】
このように、一旦取り付けた手すり部材をブラケットとともに外すには、手間が掛かる。特に、図２６に示すような連続手すりＧを外すには、手すりＧが極めて長いのみならず、それを壁に取り付けるために用いられているブラケットの数も多いから、それらを固定するために使われているビスの本数もおのずと多くなっており、ビスを外すのにも時間が掛かる。
また、一旦取り外した後再び取り付けると、石膏ボードと合板からなる壁のビス孔がばかになっている場合が多いから、取り外し前の取付強度が保証されるとは限らない。
【０００４】
このようなことから、すでに取り付けられている手すりを一旦外し、家具等の搬入やクロスを貼った後に再び手すりを取り付けるに当って、すなわち、手すり部材をいわゆる後付けするに当って、ビスを一々外さなくてもよいように、手すりブラケットを台座とこの上に重ね合わせることができる取付座とに分離させ得る形式の手すりブラケットが開発されるに至った。
このような手すりブラケットを用いた場合には、台座を壁に取り付けたままで手すり部材を外すことができるので、ビスを一々外す必要がないのみならず、その必要がないために取り外し前の取付強度が保証される点で有利である。
【０００５】
この手すりブラケットを用いて壁に手すり部材を取り付けるには、台座とこの上に重ね合わせる取付座とが一体となった状態でビスにより手すりブラケットを壁に取り付け、その後から手すり部材を手すり支持部材に固定する。
クロスを貼るに当ってまず手すり部材を外すには、手すり部材を手すり支持部材に固定したままで取付座と台座とを固定している取付ねじを緩めて取付座ごと台座から外す。そして、クロスを貼る際には、ビスにより壁に取り付けられたままの台座が露出するようにクロスをカットする方法が採られている（例えば、特許文献１参照）。
この場合には、クロスを貼り終わった後、クロスから露出させた台座に手すり部材ごとブラケットの取付座を重ね合わせ、取付ねじで台座にブラケットを固定する。
【０００６】
【特許文献１】
特許第３３４２４７３号（第１頁、第２頁、第３頁）。
【０００７】
この方法は、壁に取り付けられたままの台座が露出するようにクロスをカットし、壁に取り付けられたままの台座をクロスから露出させることを本旨とするものである。従って、壁に取り付けられたままの台座がクロスから露出するようにカッターなどでクロスをカットする作業が必要である。また、カッターなどでクロスをカットしながらクロス貼りを行わなければならないから、施工が極めてやりずらいのみならず、施工に手間が掛かる。さらに、壁に取り付けた台座の周囲に沿ってクロスをカットするのが意外にむつかしく、ともすると仕上がりも良くない場合が多い。
【０００８】
このように、壁に取り付けた台座がクロスから露出するようにクロスをカットする作業を要するクロス貼り作業は、この作業に習熟した職人でないとそれを行うことができない。
本発明は、このように厄介なクロスカットを一切無くすることを最大の目的とするものである。さらには、クロスをカットすることなく、手すりをいわゆる後付けで簡単かつ正確に取り付けることができ、かつ、施工スピードをアップさせ、仕上がりもきれいな作業を可能ならしめ得る手すり固定機構、ならびに、この手すり固定機構を壁に取り付ける方法を提供することを目的とするものである。
【０００９】
【課題を解決するための手段】
上述した目的は、次に示す手段によって達成することができる。すなわち、壁Ａに沿って手すり部材Ｃを固定するための機構において、ビスＤで壁Ａに直接定着させ得る台座と、壁Ａに取り付けた後のこの台座にその上からそれを覆い隠すように貼ったクロスＢを通して取付ねじＥで取り付け得る取付座がブラケットに備えられており、ビスＤで壁Ａに直接取り付けられている台座の上からそれを覆い隠すようにクロスＢを貼り、このクロスＢで隠れている台座とクロスＢを介してその上に重ね合わせる取付座の位置関係を定める目印としてのビスＤの頭のほかに、台座の一部を隆起もしくは窪ませるとともに、この隆起もしくは窪みと嵌合ないし係合する窪みもしくは隆起物を前記取付座に形成する。
【００１０】
台座はビスＤでクロスＢが貼られていない壁Ａに直接固定されている。壁ＡにクロスＢを貼り付けるには、壁Ａに直接固定されている台座の上からこの台座を覆い隠すようにクロスＢを貼る。そして、このクロスＢで隠れている台座から突出しているビスＤの頭あるいは台座に形成されている隆起もしくは窪みのうちの少なくとも一つを、クロスＢで覆われていて見えない台座とクロスＢを介してその上に重ね合わせる取付座の位置関係を定める目印としてクロスＢの上から確認し、この台座の隆起もしくは窪みに向けて、ブラケットの取付座の窪みもしくは隆起物を押し付ければよい。
【００１１】
このようにすると、カッターを使用しないでそのまま壁にクロスＢを貼ることができる。そして、壁Ａに貼り付けたクロスＢで覆われていて見えない台座とクロスＢを介してその上に重ね合わせる取付座の位置関係を、クロスＢで隠れている台座から突出しているビスＤの頭あるいは台座に形成されている隆起もしくは窪みのうちの少なくとも一つにより、クロスＢの上から目印として確認することができるから、クロスＢを貼った後に簡単かつ正確にブラケットを取り付けることができる。従って、従来必ず行わなければならなかった厄介なクロスカットを一切無くすることができる。そして、クロスＢをカットすることなく、手すりをいわゆる後付けで簡単かつ正確に取り付けることができ、かつ、施工スピードをアップさせることができ、仕上がりも綺麗になる。
【００１２】
台座の外径よりブラケットの取付座を大きくするとともに、この取付座の下面に台座を嵌入させ得る窪みを形成しておくことが望ましい。この場合には、ブラケットの取付座で台座をほとんど覆い隠すことができる。従って、壁に取り付けた台座付近にクロスのシワが発生していても、ブラケット取付後においてそれを隠すことができる。
【００１３】
台座の隆起物が台座とブラケットの取付座の係合手段である突起であり、この突起を嵌入させ得る切欠孔がブラケットの取付座に形成されていることが望ましい。この場合には、台座の隆起物である突起に向けてブラケットを近付け、その取付座に形成されている切欠孔に突起を嵌入させるだけで、壁Ａに貼り付けたクロスＢの上から簡単にブラケットをクロスで隠れている台座に結合できる。
【００１４】
台座の隆起物が半円状の突起であり、これと嵌合させ得る半円状の窪みが取付座に形成されていることが望ましい。この場合には、台座の隆起物である半円状の突起に向けてブラケットを近付け、その取付座に形成されている半円状の窪みに台座の半円状の突起を嵌入させるだけで、壁Ａに貼り付けたクロスＢの上から簡単かつ正確にブラケットをクロスで隠れている台座に結合できる。
【００１５】
台座の窪みが台座とブラケットの取付座の係合手段である切欠孔であり、この切欠孔に嵌入させ得る突起がブラケットの取付座に形成されていることが望ましい。この場合には、台座の窪みである切欠孔に向けてブラケットを近付け、その取付座に形成されている突起を嵌入させるだけで、壁Ａに貼り付けたクロスＢの上から簡単かつ正確にブラケットをクロスで隠れている台座に結合できる。
【００１６】
取付座に取付ねじ挿通部を形成し、台座にはこの取付ねじ挿通部に対峙する部位にねじ孔を形成しておくことが望ましい。この場合には、取付座に形成されている取付ねじ挿通部から取付ねじＤを挿通し、それを台座に形成されているねじ孔に螺着するだけで、壁に取り付けられていてクロスで隠れている台座にブラケットを強固に結合できる。
【００１７】
台座とブラケットの取付座の係合手段である突起と切欠孔とが左右対称的であり、しかも、それらを方形状としておくことが望ましい。この場合には、クロスの上から台座にブラケットの取付座を重ね合わせたとき、両者の係合手段としての左右対称的な方形状の切欠孔に、左右対称的な方形状の突起が嵌入され、それらの４つのコーナーを含む周辺部のいずれかが互いに当接し、取付ねじＥを外すか緩めても、壁Ａに取り付けられている台座から、ブラケットが外れない。
【００１８】
台座とこれに結合させるブラケットの取付座との嵌合ないし係合部分に、壁に貼り付けるクロスＢの厚み分の隙間が形成されていることが望ましい。この場合には、壁Ａに取り付けられている台座を覆い隠すように貼り付けられているクロスＢを介して、台座にブラケットの取付座を密着させることができる。従って、貼付後のクロスＢで隠れている台座に対してブラケットがガタ付くことがなく、ブラケットを強固に固定できる。
【００１９】
方形状の切欠孔と方形状の突起の向きは自由に設定してよいが、それらの向きが上方に行くに従って外側を向くように傾斜させておくことが望ましい。その方が、上述したように左右対称的な方形状の切欠孔に左右対称的な方形状の突起が嵌入されたとき、それらの４つのコーナーを含む周辺部のいずれかが互いに強く当接し合う。従って、取付ねじＥを外すか緩めても、壁Ａに取り付けられている台座から、ブラケットが外れない。ブラケットの取付座あるいは台座に形成される方形状の切欠孔が縦向きの場合には、台座からブラケットの取付座が外れ落ち勝ちである。また、ブラケットの取付座あるいは台座に形成される方形状の切欠孔が横向きの場合には、取付座あるいは台座の強度が弱くなるが、方形状の切欠孔が斜め上方に行くに従って外側を向くように傾斜させてあるから、それらの強度も保証される。
【００２０】
方形状の突起の上側の幅Ｗを下側の幅ｗより若干大きく形成しておくことが望ましい。この場合には、上述したように左右対称的な方形状の切欠孔に左右対称的な方形状の突起が嵌入されたとき、それらの４つのコーナーを含む周辺部のうち上側の周辺部でそれらが互いにより一層強く当接し合う。従って、取付ねじＥを外すか緩めても、壁Ａに取り付けられている台座から、ブラケットが一層外れないものとすることができる。
【００２１】
また、手すりの後付けを可能ならしめるために、本発明では、ビスＣで壁Ａに直接定着させ得る台座と、壁Ａに取り付けた後のこの台座にその上からそれを覆い隠すように貼ったクロスＢを通して取付ねじＥで取り付け得る取付座を有するブラケットとからなる手すり固定機構を壁Ａに取り付けるに当って、ビスＤで壁Ａに直接取り付けられている台座の上からそれを覆い隠すようにクロスＢを貼り、このクロスＢで隠れている台座から突出しているビスＤの頭あるいは台座に形成されている隆起もしくは窪みのうちの少なくとも一つを、クロスＢで覆われていて見えない台座とクロスＢを介してその上に重ね合わせる取付座の位置関係を定める目印としてクロスＢの上から確認し、この台座の隆起もしくは窪みに向けて、ブラケットの取付座の窪みもしくは隆起物を押し付ける。
【００２２】
この手法を採ると、カッターを使用しないでそのまま壁にクロスを貼ることができる。そして、壁Ａに貼り付けたクロスＢで覆われていて見えない台座とクロスＢを介してその上に重ね合わせる取付座の位置関係を、クロスＢで隠れている台座から突出しているビスＤの頭あるいは台座に形成されている隆起もしくは窪みのうちの少なくとも一つにより、クロスＢの上から目印として確認することができるから、クロスＢを貼った後に簡単かつ正確にブラケットを取り付けることができる。従って、従来必ず行わなければならなかった厄介なクロスカットを一切無くすることができる。そして、クロスＢをカットすることなく、手すりをいわゆる後付けで簡単かつ正確に取り付けることができ、かつ、施工スピードをアップさせることができ、仕上がりも綺麗になる。
【００２３】
上記の手法を採った場合において、クロスＢの上から確認できる取付後の台座の隆起もしくは窪みに向けて、ブラケットの取付座に形成されている窪みもしくは隆起物を押し付け、ブラケット取付時のその動作と力で、壁Ａに取り付けた台座の上からそれを覆い隠すように貼り付けられているクロスＢを台座とブラケットの取付座との間に密着させるのが好ましい。
このようにすると、貼付後のクロスＢで隠れている台座に対してブラケットがガタ付くことがなく、ブラケットを強固に固定できる。
【００２４】
【発明の実施の形態】
本発明の好ましい実施の形態を、図面に基いて詳細に説明する。
図１、図３、図５、図７、図９に、本発明による手すり固定機構の第１の実施の形態を、図２、図４、図６、図８、図１０に、第１の実施の形態に係る手すり固定機構のそれぞれの場合の取付方法を示す。また、図１１、図１３、図１５、図１７、図１９に、本発明による手すり固定機構の第２の実施の形態を、図１２、図１４、図１６、図１８、図２０に、第２の実施の形態に係る手すり固定機構のそれぞれの場合の取付方法を示す。
【００２５】
そして、第１の実施の形態に係る手すり固定機構及び第２の実施の形態に係る手すり固定機構には、ともに使い方の違いによって形の異なる５通りのタイプがある（図２５の（ａ）〜（ｅ）参照）。図２５（ａ）に示すものは、いわゆる壁受と称して壁Ａに取り付けて手すり部材Ｃを下から支受する型式のものである。図２５（ｂ）に示すものは、いわゆる首振りと称してブラケットの先端である手すり支持部材が首を振ることができる型式のもので、手すり部材Ｃを下から支受する点では図２５（ａ）に示すものと同じである。図２５（ｃ）に示すものは、いわゆるコーナーブラケットと称して壁Ａに平行である垂直方向の手すり部材Ｃと水平方向の手すり部材Ｃとを直交するごとく連結支持する型式のものである。図２５（ｄ）に示すものは、いわゆるエンドブラケットと称して壁Ａに平行である垂直方向の手すり部材Ｃもしくは水平方向の手すり部材Ｃの両端を支持する型式のものである。図２５（ｅ）に示すものは、いわゆる直受と称して壁Ａに平行である手すり部材Ｃを直接固定する型式のものである。
【００２６】
このように、使い方の違いによって手すりブラケットの型式が５通りあり、それぞれのものに第１の実施の形態と第２の実施の形態とが採用されている。第１の実施の形態を示す図１、図３、図５、図７、図９において、図１がいわゆる壁受と称される手すりブラケット、図３がいわゆる首振りと称される手すりブラケット、図５がいわゆるコーナーブラケットと称される手すりブラケット、図７がいわゆるエンドブラケットと称される手すりブラケット、図９が直受と称される手すりブラケットを示している。
【００２７】
また、第２の実施の形態を示す図１１、図１３、図１５、図１７、図１９において、図１１がいわゆる壁受と称される手すりブラケット、図１３がいわゆる首振りと称される手すりブラケット、図１５がいわゆるコーナーブラケットと称される手すりブラケット、図１７がいわゆるエンドブラケットと称される手すりブラケット、図１９が直受と称される手すりブラケットを示している。
【００２８】
そして、図１に示す手すりブラケットの取付方法が図２に、図３に示す手すりブラケットの取付方法が図４に、図５に示す手すりブラケットの取付方法が図６に、図７に示す手すりブラケットの取付方法が図８に、図９に示す手すりブラケットの取付方法が図１０に、図１１に示す手すりブラケットの取付方法が図１２に、図１３に示す手すりブラケットの取付方法が図１４に、図１５に示す手すりブラケットの取付方法が図１６に、図１７示す手すりブラケットの取付方法が図１８に、図１９に示す手すりブラケットの取付方法が図２０に示されている。
なお、本明細書においては、上記５通りの手すりブラケットを便宜上上述した呼び方で略称する。
【００２９】
それぞれの手すりブラケットには、いずれも、ビスＤで壁Ａに直接定着させ得る台座と、壁Ａに取り付けた後のこの台座にその上からそれを覆い隠すように貼ったクロスＢを通して取付ねじＥで取り付け得る取付座がブラケットに備えられている。
第１の実施の形態に係る手すり固定機構の台座については、５通りの型式のブラケットごとに、壁受の場合は図面符号１で、首振りの場合は図面符号２で、コーナーブラケットの場合は図面符号３で、エンドブラケットの場合は図面符号４で、直受の場合は図面符号５で示す。
第２の実施の形態に係る手すり固定機構の台座については、５通りの型式のブラケットごとに、壁受の場合は図面符号１’で、首振りの場合は図面符号２’で、コーナーブラケットの場合は図面符号３’で、エンドブラケットの場合は図面符号４’で、直受の場合は図面符号５’で示す。
【００３０】
また、第１の実施の形態に係る手すり固定機構の取付座については、５通りの型式のブラケットごとに、壁受の場合は図面符号１１ａで、首振りの場合は図面符号２１ａで、コーナーブラケットの場合は図面符号３１ａで、エンドブラケットの場合は図面符号４１ａで、直受の場合は図面符号５１ａで示す。
第２の実施の形態に係る手すり固定機構の取付座については、５通りの型式のブラケットごとに、壁受の場合は図面符号１１ａ’で、首振りの場合は図面符号２１ａ’で、コーナーブラケットの場合は図面符号３１ａ’で、エンドブラケットの場合は図面符号４１ａ’で、直受の場合は図面符号５１ａ’で示す。
【００３１】
使い方の違いによって異なる５通りの手すりブラケットのうち、同じ使い方をするものについては、基本形態は同じである。すなわち、壁受タイプの手すりブラケットの基本形態は、第１の実施の形態に係る場合も第２の実施の形態に係る場合も同じである。また、首振りタイプの手すりブラケットの基本形態、コーナーブラケットの基本形態、エンドブラケットの基本形態、直受タイプの手すりブラケットの基本形態も、第１の実施の形態に係る場合も第２の実施の形態に係る場合も同じである。
そこで、５通りの手すりブラケットのそれぞれの基本形態について、以下簡単に説明する。
【００３２】
壁受タイプの手すりブラケット１１，１１’は、壁Ａに取り付けて手すり部材Ｃを下から支受する型式のものであるから、図１、図２、図１１、図１２に示すように、両取付座１１ａ，１１ａ’からは支持腕１１ｂ，１１ｂ’が延び出させてあり、各支持腕１１ｂ，１１ｂ’の先端には手すり部材Ｃを支受するための支持部材１１ｃ，１１ｃ’が備えられている。各支持部材１１ｃ，１１ｃ’にビスで手すり部材Ｃが固定される。
【００３３】
首振りタイプの手すりブラケット２１，２１’も、壁受タイプの手すりブラケット１１，１１’と同様に、壁Ａに取り付けて手すり部材Ｃを下から支受する型式のものであるから、図３、図４、図１３、図１４に示すように、各取付座２１ａ，２１ａ’からは支持腕２１ｂ，２１ｂ’が延び出させてある。
そして、各支持腕２１ｂ，２１ｂ’の先端には、ピン２１ｄ，２１ｄ’を中心として回動させ得るように、支持部材２１ｃ，２１ｃ’が備えられている。各支持部材２１ｃ，２１ｃ’にビスで手すり部材Ｃが固定される。
両支持部材２１ｃ，２１ｃ’がピン２１ｄ，２１ｄ’を中心として回動するため、壁Ａに固定されているブラケットの支持角度が壁Ａに沿って支持・固定される手すり部材Ｃの配置方向と微妙にずれている場合でも、そのずれを吸収できる。
【００３４】
コーナーブラケット３１，３１’は、壁Ａに平行である垂直方向の手すり部材Ｃと水平方向の手すり部材Ｃとを直交するごとく連結支持するものであるから、図５、図６、図１５、図１６に示すように、各取付座３１ａ，３１ａ’からこれに対して直角方向に半筒状の支持体３１ｂ，３１ｂ’が延び出させてあり、その端部には平面的に見て直交する方向に円筒状の保持筒３１ｃ，３１ｃ’が備えられている。
各保持筒３１ｃ，３１ｃ’には、２本の手すり部材Ｃ，Ｃの端部を嵌入・固定できる孔３１ｄ，３１ｄ’が形成されている。なお、各支持体３１ｂ，３１ｂ’の開口部分には、カバー３１１，３１１’が被せられる。
【００３５】
エンドブラケット４１，４１’は、壁Ａに平行である垂直方向の手すり部材Ｃもしくは水平方向の手すり部材Ｃの両端を支持するものであるから、図７、図８、図１７、図１８に示すように、各取付座４１ａ，４１ａ’からこれに対して直角方向に筒状の支持体４１ｂ，４１ｂ’が延び出させてあり、その端部には全体形状が倒Ｌ字状となるごとく円筒状の保持筒４１ｃ，４１ｃ’が備えられている。
各保持筒４１ｃ，４１ｃ’には、手すり部材Ｃの端部を嵌入・固定できる孔４１ｄ，４１ｄ’が形成されている。なお、各支持体４１ｂ，４１ｂ’と保持筒４１ｃ，４１ｃ’の接合部分であるコーナーを開口してあり、その開口部分には、カバー４１１，４１１’が被せられる。
【００３６】
直受タイプのブラケット５１，５１’は、壁Ａに平行である手すり部材Ｃを直接固定するものであるから、図９、図１０、図１９、図２０に示すように、各取付座５１ａ，５１ａ’からこれに対して直角方向に支持体５１ｂ，５１ｂ’が延び出させてあり、その端部には手すり部材Ｃを支受するための支持部材５１ｃ，５１ｃ’が備えられている。各支持部材５１ｃ，５１ｃ’にビスで手すり部材Ｃが固定される。
【００３７】
次に、第１の実施の形態と第２の実施の形態について説明する。なお、第１の実施の形態と第２の実施の形態は、５通りの手すりブラケットすべてに共通するから、それぞれをまとめて説明することにする。
【００３８】
（第１の実施の形態の説明）
壁受タイプのブラケット１１の取付座１１ａには、図１（ａ）に示すように、その周縁から内側に向かう３つの切欠部が形成されており、その部分をビス挿通部１１ｄとして利用し得るようになっている。同じく、首振りタイプのブラケット２１の取付座２１ａにも、図３（ａ）に示すように、その周縁から内側に向かう３つの切欠部が形成されており、その部分をビス挿通部２１ｅとして利用し得るようになっている。また、コーナーブラケット３１の取付座３１ａには、図５（ａ），（ｂ）に示すように、孔からなる３つのビス挿通部３１ｆが、エンドブラケット４１の取付座４１ａにも、図７（ａ）に示すように、孔からなる３つのビス挿通部４１ｆが形成されている。
一方、直受タイプのブラケット５１の取付座５１ａは、図９（ａ），（ｂ）に示すように平面略十字状であり、その切欠かれた部分をビス挿通部５１ｄとして利用し得るようになっている。
【００３９】
各ビス挿通部１１ｄ，２１ｅ，３１ｆ，４１ｆ，５１ｄ以外の部位には、孔である取付ねじ挿通部１１ｅ，２１ｆ，３１ｇ，４１ｇ，５１ｅが、また、両挿通部以外の部位には、切欠孔１１ｆ，２１ｇ，３１ｈ，４１ｈ，５１ｆが形成されている。
壁受タイプ及び首振りタイプの場合には、図１（ａ）、図２（ｂ）、図３（ａ）、図４（ｂ）に示すように、切欠孔１１ｆ，２１ｇをそれぞれ左右対称的な方形状とし、斜め上方に行くに従って外側を向くように傾斜させてある。傾斜角度は４５度が最も好ましい。
また、コーナーブラケット３１及びエンドブラケット４１の場合には、図５（ａ），（ｂ）、図６（ｂ）、図７（ａ）に示すように、切欠孔３１ｈ，４１ｈが円板状の取付座３１ａ，４１ａの中心線上である外周縁に対向させて形成されている。
直受タイプのブラケット５１の場合には、図９（ａ），（ｂ）に示すように、平面略十字状である取付座５１ａの縦方向部分に１つ形成されている。
【００４０】
一方、手すりブラケットの取付座１１ａ，２１ａ，３１ａ，４１ａ，５１ａを取り付けるための各台座１，２，３，４，５は、壁受タイプ及び首振りタイプの場合には、図１（ｂ）、図３（ｂ）に示すように、ともに略扇形であって、両者を共通して使用できる。
また、コーナーブラケット３１及びエンドブラケット４１の場合には、図５（ｃ）、図７（ｂ）に示すように、円板状の中心線上の両端とその中心線と直交する線上の一方を切り欠いた形であり、両者を共通して使用できる。
直受タイプの場合には、図９（ｃ）に示すように、円板状の中心線上の一方を切り欠いた形である。
【００４１】
各台座１，２，３，４，５には、この上に重ね合わせた取付座１１ａ，２１ａ，３１ａ，４１ａ，５１ａの各ビス挿通部１１ｄ，２１ｅ，３１ｆ，４１ｆ，５１ｄを通して見える部位に、ビス挿通用の孔１ａ，２ａ，３ａ，４ａ，５ａが、また、各取付座１１ａ，２１ａ，３１ａ，４１ａ，５１ａに形成されている取付ねじ挿通部１１ｅ，２１ｆ，３１ｇ，４１ｇ，５１ｅに対峙する部位に、ねじ孔１ｂ，２ｂ，３ｂ，４ｂ，５ｂが形成されている。
【００４２】
各取付座１１ａ，２１ａ，３１ａ，４１ａ，５１ａは各台座１，２，３，４，５より大きくするとともに、各取付座１１ａ，２１ａ，３１ａ，４１ａ，５１ａの下面に台座１，２，３，４，５を嵌入させ得る窪み１１ｇ，２１ｈ，３１ｉ，４１ｉ，５１ｇを形成してある。このようにすることにより、取付座１１ａ，２１ａ，３１ａ，４１ａ，５１ａを台座１，２，３，４，５に重ね合わせたとき台座１，２，３，４，５が隠れる。
また、各台座１，２，３，４，５には、各取付座１１ａ，２１ａ，３１ａ，４１ａ，５１ａに形成されている切欠孔１１ｆ，２１ｇ，３１ｈ，４１ｈ，５１ｆに対峙する位置に、それに嵌入させ得る突起１ｃ，２ｃ，３ｃ，４ｃ，５ｃが形成されている。
壁受タイプ及び首振りタイプの場合には、図１（ｂ）、図３（ｂ）に示すように、突起１ｃ、２ｃをそれぞれ左右対称的な方形状とし、斜め上方に行くに従って外側を向くように傾斜させてある。傾斜角度は４５度が最も好ましい。
また、コーナーブラケット３１及びエンドブラケット４１の場合には、図５（ｃ）、図７（ｃ）に示すように、突起３ｃ、４ｃが円板状の中心線上の両端を切り欠いた部分に対向させて形成されている。
直受タイプの場合には、図９（ｃ）に示すように、突起５ｃは円板状の中心線上の一方を切り欠いた部分に１つ形成されている。
【００４３】
第１の実施の形態に係る手すり固定機構の場合には、上記５通りのタイプの場合ともに、まずビスＤでクロスＢが貼られていない壁Ａに直接台座１，２，３，４，５を固定する。そして、図２（ａ）、図４（ａ）、図６（ａ）、図８（ａ）、図１０（ａ）に示すように、その上から台座１，２，３，４，５を覆い隠すようにクロスＢを貼り、各台座１，２，３，４，５に形成されている突起１ｃ，２ｃ，３ｃ，４ｃ，５ｃを壁Ａに貼り付けたクロスＢの上から確かめながら、貼付後のクロスＢで隠れている台座１，２，３，４，５の位置を壁Ａに貼り付けたクロスＢの上から確認し、この台座１，２，３，４，５の突起１ｃ，２ｃ，３ｃ，４ｃ，５ｃに向けて、各ブラケット１１，２１，３１，４１，５１の各取付座１１ａ，２１ａ，３１ａ，４１ａ，５１ａに形成されている切欠孔１１ｆ，２１ｇ，３１ｈ，４１ｈ，５１ｆを押し付ければよい。
【００４４】
すると、各台座１，２，３，４，５の突起１ｃ，２ｃ，３ｃ，４ｃ，５ｃに各ブラケット１１，２１，３１，４１，５１の各取付座１１ａ，２１ａ，３１ａ，４１ａ，５１に形成されている切欠孔１１ｆ，２１ｇ，３１ｈ，４１ｈ，５１ｆが嵌まり、両者を係合させることができる。しかる後、各取付座１１ａ，２１ａ，３１ａ，４１ａ，５１ａに形成されている取付ねじ挿通部１１ｅ，２１ｆ，３１ｇ，４１ｇ，５１ｅから取付ねじＥをそれぞれ差し込み、その先端のねじ部分を各台座１，２，３，４，５のねじ孔１ｂ，２ｂ，３ｂ，４ｂ，５ｂに螺着すると、壁Ａに取り付けられている各台座１，２，３，４，５にブラケット１１，２１，３１，４１，５１を重ね合わせて固定できる。
【００４５】
このように、第１の実施の形態の手すり固定機構では、カッターを使用しないでそのまま壁ＡにクロスＢを貼ることができ、しかる後、貼付後のクロスＢで隠れている各台座１，２，３，４，５の位置を壁Ａに貼り付けたクロスＢの上から確認しながら、直接ブラケット１１，２１，３１，４１，５１を取り付けることができる。従って、従来必ず行わなければならなかった厄介なクロスカットを一切無くすることができる。そして、クロスＢをカットすることなく、手すりをいわゆる後付けで簡単かつ正確に取り付けることができ、かつ、施工スピードをアップさせることができ、仕上がりも綺麗になる。
壁に取り付けた台座がクロスから露出するようにクロスをカットしながらクロスを貼る作業は、この作業に習熟した職人でないとうまくできないが、クロスをカットしなくてもよいクロス貼り作業であれば、その作業になれていない人でも施工可能である。
【００４６】
なお、壁受タイプ及び首振りタイプの場合には、図１、図３に示すように、台座１，２のねじ孔１ｂ，２ｂ付近を他の面より少し高くしてある。このようにしておくと、ビスＤで各台座１，２を壁Ａに取り付け、その上から台座１，２を覆い隠すようにクロスＢを貼ったとき、この高くなっている部分でクロスＢが少し盛り上がり、壁Ａに取り付けた台座１，２に壁受タイプ及び首振りタイプのブラケット１１，２１を結合させやすい。
【００４７】
（第２の実施の形態の説明）
壁受タイプのブラケット１１’の取付座１１ａ’には、図１１（ａ）に示すように、３つの孔が形成されており、その部分をビス挿通部１１ｄ’として利用し得るようになっている。同じく、首振りタイプのブラケット２１’の取付座２１ａ’にも、図１３（ａ）に示すように、３つの孔が形成されており、その部分をビス挿通部２１ｅ’として利用し得るようになっている。
また、コーナーブラケット３１’の取付座３１ａ’には、図１５（ａ），（ｂ）に示すように、孔からなる３つのビス挿通部３１ｆ’が、エンドブラケット４１の取付座４１ａにも、図１７（ａ）に示すように、孔からなる３つのビス挿通部４１ｆ’が形成されている。一方、直受タイプのブラケット５１の取付座５１ａは、図９（ａ），（ｂ）に示すように平面略十字状であり、その切欠かれた部分をビス挿通部５１ｄ’として利用し得るようになっている。
【００４８】
各ビス挿通部１１ｄ’，２１ｅ’，３１ｆ’，４１ｆ’，５１ｄ’以外の部位には、孔である取付ねじ挿通部１１ｅ’，２１ｆ’，３１ｇ’，４１ｇ’，５１ｅ’が、また、両挿通部以外の部位には、下方へ向けて突起１１ｆ’，２１ｇ’，３１ｈ’，４１ｈ’，５１ｆ’が形成されている。
壁受タイプ及び首振りタイプの場合には、図１１（ａ）、図１３（ａ）に示すように、突起１１ｆ’，２１ｇ’をそれぞれ左右対称的な方形状とし、斜め上方に行くに従って外側を向くように傾斜させてある。傾斜角度は４５度が最も好ましい。
また、コーナーブラケット３１’及びエンドブラケット４１’の場合には、図１５（ａ）、図１６（ａ）、図１７（ａ）、図１８（ａ）に示すように、突起３１ｈ’，４１ｈ’が円板状の取付座３１ａ’，４１ａ’の中心線上に１つ形成されている。
直受タイプのブラケット５１’の場合には、図１９（ａ），（ｂ）に示すように、突起５１ｆ’が円板状である取付座５１ａ’の縦方向の中心線上に１つ形成されている。
【００４９】
一方、手すりブラケットの取付座１１ａ’，２１ａ’，３１ａ’，４１ａ’，５１ａ’を取り付けるための各台座１’，２’，３’，４’，５’は、壁受タイプ及び首振りタイプの場合には、図１１（ｃ）、図１３（ｃ）に示すように、ともに円板状であって、両者を共通して使用できる。
また、コーナーブラケット３１及びエンドブラケット４１の場合には、図１５（ｃ）、図１７（ｂ）に示すように、ともに円板状であり、両者を共通して使用できる。
直受タイプの場合には、図１９（ｃ）に示すように、円板状である。
【００５０】
各台座１’，２’，３’，４’，５’には、この上に重ね合わせた取付座１１ａ’，２１ａ’，３１ａ’，４１ａ’，５１ａ’の各ビス挿通部１１ｄ’，２１ｅ’，３１ｆ’，４１ｆ’，５１ｄ’を通して見える部位に、ビス挿通用の孔１ａ’，２ａ’，３ａ’，４ａ’，５ａ’が、また、各取付座１１ａ’，２１ａ’，３１ａ’，４１ａ’，５１ａ’に形成されている取付ねじ挿通部１１ｅ’，２１ｆ’，３１ｇ’，４１ｇ’，５１ｅ’に対峙する部位に、ねじ孔１ｂ’，２ｂ’，３ｂ’，４ｂ’，５ｂ’が形成されている。
【００５１】
各取付座１１ａ’，２１ａ’，３１ａ’，４１ａ’，５１ａ’は各台座１’，２’，３’，４’，５’より大きくするとともに、各取付座１１ａ’，２１ａ’，３１ａ’，４１ａ’，５１ａ’の下面に台座１’，２’，３’，４’，５’を嵌入させ得る窪み１１ｇ’，２１ｈ’，３１ｉ’，４１ｉ’，５１ｇ’を形成してある。このようにすることにより、取付座１１ａ’，２１ａ’，３１ａ’，４１ａ’，５１ａ’を台座１’，２’，３’，４’，５’に重ね合わせたとき台座１’，２’，３’，４’，５’が隠れる。
また、各台座１’，２’，３’，４’，５’には、各取付座１１ａ’，２１ａ’，３１ａ’，４１ａ’，５１ａ’に形成されている突起１１ｆ’，２１ｇ’，３１ｈ’，４１ｈ’，５１ｆ’に対峙する位置に、それに嵌入させ得る切欠孔１ｃ’，２ｃ’，３ｃ’，４ｃ’，５ｃ’が形成されている。
壁受タイプ及び首振りタイプの場合には、図１１（ｃ）、図１３（ｃ）に示すように、切欠孔１ｃ’，２ｃ’をそれぞれ左右対称的な方形状とし、斜め上方に行くに従って外側を向くように傾斜させてある。傾斜角度は４５度が最も好ましい。
また、コーナーブラケット３１’及びエンドブラケット４１’の場合には、図１５（ｃ）、図１７（ｂ）に示すように、切欠孔１ｃ’，２ｃ’が円板状の中心線上に１つ形成されている。
直受タイプの場合には、図１９（ｃ）に示すように、切欠孔５ｃ’は円板状の中心線上に１つ形成されている。
【００５２】
さらに、各台座１’，２’，３’，４’，５’には、断面半円状の突起１ｄ’，２ｄ’，３ｄ’，４ｄ’，５ｄ’が形成されている。
壁受タイプ及び首振りタイプの場合には、図１１（ｃ）、図１３（ｃ）に示すように、断面半円状の突起１ｄ’，２ｄ’が円板状の中心線上に１つ形成されている。
また、コーナーブラケット３１’及びエンドブラケット４１’の場合には、図１５（ｃ）、図１７（ｂ）に示すように、断面半円状の突起３ｄ’、４ｄ’が前記切欠孔３ｃ’、４ｃ’を通る中心線に対して左右対称的な位置上に２つ形成されている。
直受タイプの場合には、図１９（ｃ）に示すように、断面半円状の突起５ｄ’は前記切欠孔５ｃ’を通る中心線上に１つ形成されている。
【００５３】
一方、各取付座１１ａ’，２１ａ’，３１ａ’，４１ａ’，５１ａ’の下面には、各台座１’，２’，３’，４’，５’に形成されている突起１ｄ’，２ｄ’，３ｄ’，４ｄ’，５ｄ’に対峙する位置に、断面半円状の窪み１１ｈ’，２１ｉ’，３１ｊ’，４１ｊ’，５１ｈ’が形成されている。各台座１’，２’，３’，４’，５’に各取付座１１ａ’，２１ａ’，３１ａ’，４１ａ’，５１ａ’を重ね合わせたとき、各台座１’，２’，３’，４’，５’に形成されている断面半円状の突起１ｄ’，２ｄ’，３ｄ’，４ｄ’，５ｄ’が各取付座１１ａ’，２１ａ’，３１ａ’，４１ａ’，５１ａ’の窪み１１ｈ’，２１ｉ’，３１ｊ’，４１ｊ’，５１ｈ’に嵌合する。
【００５４】
第２の実施の形態に係る手すり固定機構の場合には、上記５通りのタイプの場合ともに、まずビスＤでクロスＢが貼られていない壁Ａに直接台座１’，２’，３’，４’，５’を固定する。そして、図１２（ａ）、図１４（ａ）、図１６（ａ）、図１８（ａ）、図２０（ａ）に示すように、その上から台座１’，２’，３’，４’，５’を覆い隠すようにクロスＢを貼り、各台座１’，２’，３’，４’，５’に形成されている断面半円状の突起１ｄ’，２ｄ’，３ｄ’，４ｄ’，５ｄ’ないし切欠孔１ｃ’，２ｃ’，３ｃ’，４ｃ’，５ｃ’を壁Ａに貼り付けたクロスＢの上から確かめながら、貼付後のクロスＢで隠れている台座１’，２’，３’，４’，５’の位置を壁Ａに貼り付けたクロスＢの上から確認し、この台座１’，２’，３’，４’，５’に形成されている切欠孔１ｃ’，２ｃ’，３ｃ’，４ｃ’，５ｃ’に向けて、各ブラケット１１’，２１’，３１’，４１’，５１’の取付座１１ａ’，２１ａ’，３１ａ’，４１ａ’，５１ａ’の突起１１ｆ’，２１ｇ’，３１ｈ’，４１ｈ’，５１ｆ’を押し付ければよい。
【００５５】
すると、各ブラケット１１’，２１’，３１’，４１’，５１’の取付座１１ａ’，２１ａ’，３１ａ’，４１ａ’，５１ａ’に形成されている突起１１ｆ’，２１ｇ’，３１ｈ’，４１ｈ’，５１ｆ’が各台座１’，２’，３’，４’，５’の切欠孔１ｃ’，２ｃ’，３ｃ’，４ｃ’，５ｃ’に嵌まり、両者を係合させることができる。このとき、各台座１’，２’，３’，４’，５’に形成されている断面半円状の突起１ｄ’，２ｄ’，３ｄ’，４ｄ’，５ｄ’と取付座１１ａ’，２１ａ’，３１ａ’，４１ａ’，５１ａ’に形成されている断面半円状の窪み１１ｈ’，２１ｉ’，３１ｊ’，４１ｊ’，５１ｈ’とが嵌合する。しかる後、各取付座１１ａ’，２１ａ’，３１ａ’，４１ａ’，５１ａ’に形成されている取付ねじ挿通部１１ｅ’，２１ｆ’，３１ｇ’，４１ｇ’，５１ｅ’から取付ねじＥをそれぞれ差し込み、その先端のねじ部分を各台座１’，２’，３’，４’，５’のねじ孔１ｂ’，２ｂ’，３ｂ’，４ｂ’，５ｂ’に螺着すると、壁Ａに取り付けられている各台座１’，２’，３’，４’，５’に、ブラケット１１’，２１’，３１’，４１’，５１’を重ね合わせて固定できる。
【００５６】
このように、第２の実施の形態の手すり固定機構でも、カッターを使用しないでそのまま壁ＡにクロスＢを貼ることができ、しかる後、貼付後のクロスＢで隠れている各台座１，２，３，４，５の位置を壁Ａに貼り付けたクロスＢの上から確認しながら、直接ブラケット１１，２１，３１，４１，５１を取り付けることができる。従って、従来必ず行わなければならなかった厄介なクロスカットを一切無くすることができる。そして、クロスＢをカットすることなく、手すりをいわゆる後付けで簡単かつ正確に取り付けることができ、かつ、施工スピードをアップさせることができ、仕上がりも綺麗になる。
壁に取り付けた台座がクロスから露出するようにクロスをカットしながらクロスを貼る作業は、この作業に習熟した職人でないとうまくできないが、クロスをカットしなくてもよいクロス貼り作業であれば、その作業になれていない人でも施工可能である。
【００５７】
第１の実施の形態の手すり固定機構でも、第２の実施の形態の手すり固定機構でも、台座とこれに結合させるブラケットの取付座との嵌合ないし係合部分に、壁に貼り付けるクロスＢの厚み分の隙間を形成しておくとよい。例えば、第１の実施の形態の手すり固定機構を採用している直受タイプのブラケット５１を例に挙げて説明すると、台座５とこれに結合させる取付座５１ａの嵌合ないし係合部分、例えば、図２１（ａ）において、台座５の周縁部と取付座５１ａの窪み５１ｇの内周面との間にクロスＢの厚み分の隙間Ｔ１が、台座５上面と取付座５１ａの下面との間にクロスＢの厚み分の隙間Ｔ２が、また、台座５の突起５ｃ外面とこれが嵌入する取付座５１ａの切欠孔５１ｆ内面との間にクロスＢの厚み分の隙間Ｔ３などが形成されるようにしておくとよい。
【００５８】
また、第２の実施の形態の手すり固定機構を採用している直受タイプのブラケット５１’を例に挙げて説明すると、台座５’とこれに結合させる取付座５１ａ’の嵌合ないし係合部分、例えば、図２１（ｂ）において、台座５の周縁部と取付座５１ａ’の窪み５１ｇ’の内周面との間にクロスＢの厚み分の隙間Ｔ４が、台座５’上面と取付座５１ａ’の下面との間にクロスＢの厚み分の隙間Ｔ５が、また、台座５’に形成されている断面半円状の突起５ｄ’外面とこれと嵌合する取付座５１ａ’の断面半円状の窪み５１ｈ’内面との間にクロスＢの厚み分の隙間Ｔ６などが形成されるようにしておくとよい。
【００５９】
このようにした場合には、壁Ａに取り付けられている台座５，５１を覆い隠すように貼り付けられているクロスＢを介して、台座５，５１にブラケット５１，５１’の取付座５１ａ，５１ａ’を密着させることができる。従って、貼付後のクロスＢで隠れている台座５，５１に対してブラケット５１，５１’がガタ付くことがなく、ブラケット５１，５１’を強固に固定できる。
【００６０】
第１の実施の形態の手すり固定機構において、壁受タイプ及び首振りタイプの場合にあっては、ビスＤにより壁Ａに台座１，２をビス止めし、各台座１，２の上にブラケット１１，２１の取付座１１ａ，２１ａを重ね合わせ、両者の係合手段としての左右対称的な方形状の切欠孔１１ｆ，２１ｇに、左右対称的な方形状の突起１ｃ，２ｃを嵌入させるが、左右対称的な切欠孔１１ｆ，２１ｇと左右対称的な突起１ｃ，２ｃとが方形状であり、しかも、斜め上方に行くに従って外側を向くように傾斜させてあるから、左右対称的な切欠孔１１ｆ，２１ｇに左右対称的な突起１ｃ，２ｃが嵌入されたとき、それらの４つのコーナーを含む周辺部のいずれかが図２（ｂ）、図４（ｂ）に示すように、互いに強く当接し合う。
従って、壁受タイプ及び首振りタイプのブラケット１１，２１の取付座１１ａ，２１ａを台座１，２に取り付けている取付ねじＥを外すか緩めても、壁Ａに取り付けられている台座１，２から、ブラケット１１，２１が外れない。
【００６１】
左右対称的な方形状の突起１ｃ，２ｃは、図２２（ｂ）に示すように、上側の幅Ｗが下側の幅ｗよりわずかに広くしてある。そうすることで壁受タイプ及び首振りタイプのブラケット１１，２１の取付座１１ａ，２１ａを台座１，２に重ね合わせ、左右対称的な方形状の切欠孔１１ｆ，２１ｇ  に左右対称的な方形状の突起１ｃ，２ｃが嵌入されたとき、それらの４つのコーナーを含む周辺部のうち上側の周辺部でそれらが互いにより一層強く当接し合う。従って、取付後において取付ねじＥを外すか緩めても、壁Ａに取り付けられている台座１，２から、ブラケット１１，２１が外れない。
【００６２】
壁受タイプ及び首振りタイプのブラケット１１，２１の取付座１１ａ，２１ａに形成されている方形状の切欠孔１１ｆ，２１ｇ  は入口側（図２２（ａ）の左側）が広く、奥に行くに従って徐々に小さくなり、出口側（図２２（ａ）の右側）では一定幅で垂直な面を有するものとしておくのがよい。このようにしておくと、台座１，２に壁受タイプ及び首振りタイプのブラケット１１，２１の取付座１１ａ，２１ａを重ね合わせた場合において、これに形成されている方形状の切欠孔１１ｆ，２１ｇに台座１，２の方形状の突起１ｃ，２ｃが入りやすく、しかも、嵌入後の突起１ｃ，２ｃの一部は切欠孔１１ｆ，２１ｇの一定幅の垂直な面に当接してガタ付くことなくぴったり嵌まり込むので、取付ねじＥを外すか緩めた場合でも台座１，２から壁受タイプ及び首振りタイプのブラケット１１，２１がより外れにくくなる。
【００６３】
なお、第１の実施の形態に係る手すり固定機構において、壁受タイプ及び首振りタイプのブラケット１１，２１に採用されている方形状の切欠孔と方形状の突起の形態を、第２の実施の形態に係る手すり固定機構の壁受タイプ及び首振りタイプのブラケット１１’，２１’の切欠孔と突起に応用することもできる。
【００６４】
上述した第１と第２の実施の形態に係る手すり固定機構のうち、壁受タイプ、首振りタイプ及び直受タイプのブラケット１１，１１’，２１，２１’，５１，５１’には、図１（ｃ）、図２（ｃ）、図９（ｃ）、図１１（ｃ）、図１３（ｃ）、図１９（ｃ）に示すように、いずれもカバー１１１，１１１’，２１１，２１１’，５１１，５１１’が備えられている。各カバー１１１，１１１’，２１１，２１１’，５１１，５１１’にはＵ字状の切欠１１１ａ，１１１ａ’，２１１ａ，２１１ａ’，５１１ａ，５１１ａ’が形成されており、各切欠１１１ａ，１１１ａ’，２１１ａ，２１１ａ’，５１１ａ，５１１ａ’からブラケット１１，１１’，２１，２１’の支持腕１１ｂ，１１ｂ’，２１ｂ，２１ｂ’やブラケット５１，５１’の支持体５１ｂ，５１ｂ’を差し込むことにより、取付座１１ａ，１１ａ’，２１ａ，２１ａ’，５１ａ，５１ａ’に被せることができる。従って、取付後のビスＤや取付ねじＥが見えないように、ブラケット１１，１１’，２１，２１’，５１，５１’の取付座１１ａ，１１ａ’，２１ａ，２１ａ’，５１ａ，５１ａ’部分を覆い隠すことができる。
【００６５】
また、上述した第１と第２の実施の形態に係る手すり固定機構のうち、コーナーブラケット３１，３１’、エンドブラケット４１，４１’についても、カバー３１１，３１１’，４１１，４１１’が備えられている。両タイプのブラケット３１，３１’，４１，４１’の場合は、壁受タイプ、首振りタイプ及び直受タイプのブラケット１１，２１，５１の場合と異なり、取付座３１ａ，３１ａ’，４１ａ，４１ａ’に直接被せるのではなく、その上方の開口部分に被せ、開口部分を覆い隠すものである。この場合においても、取付後のビスＤや取付ねじＥが見えないようにすることができる。
【００６６】
上述の実施の形態においては、台座１，１’，２，２’，３，３’，４，４’，５，５’に突起１ｃ，２ｃ，３ｃ，４ｃ，５ｃや突起１ｄ’，２ｄ’，３ｄ’，４ｄ’，５ｄ’、あるいは、切欠孔１ｃ’，２ｃ’，３ｃ’，４ｃ’，５ｃ’を形成し、それらと嵌合ないし係合する切欠孔１１ｆ，２１ｇ，３１ｈ，４１ｈ，５１ｆや窪み１１ｈ’，２１ｉ’，３１ｊ’，４１ｊ’，５１ｈ’、あるいは、突起１１ｆ’，２１ｇ’，３１ｈ’，４１ｈ’，５１ｆ’を取付座１１ａ，１１ａ’，２１ａ，２１ａ’，３１ａ，３１ａ’，４１ａ，４１ａ’，５１ａ，５１ａ’に形成し、両者を嵌合ないし係合させる場合を例示したが、台座に形成する切欠孔１ｃ’，２ｃ’，３ｃ’，４ｃ’，５ｃ’を単なる窪みとしてもよく、また、取付座１１ａ，２１ａ，３１ａ，４１ａ，５１ａに形成する切欠孔１１ｆ，２１ｇ，３１ｈ，４１ｈ，５１ｆを単なる窪みとしてもよい。また、台座と取付座との嵌合ないし係合手段もここに例示した場合のみに限定されるものではない。
要するに、ビスＤで壁Ａに直接台座を取り付けた後その上からそれを覆い隠すようにクロスＢを貼ったとき、壁Ａに貼り付けたクロスＢの上から台座の位置とこれに重ね合わせる取付座の取付位置とを確認できるような隆起もしくは窪みが少なくとも台座に形成されておればよい。そして、この台座に重ね合わせる取付座には、この隆起もしくは窪みと嵌合ないし係合する窪みもしくは隆起物が形成されておればよい。
【００６７】
なお、直受タイプのブラケット５１，５１’については、図１０、図２０に示すような使い方以外に、笠木Ｆに取り付ける場合もある（図２３、図２４参照）。この場合には、クロスＢを使用しない所での使用となる。
【００６８】
【発明の効果】
請求項１記載の手すり固定機構を用いた場合には、カッターを使用しないでそのまま壁にクロスを貼ることができる。そして、壁Ａに貼り付けたクロスＢで覆われていて見えない台座とクロスＢを介してその上に重ね合わせる取付座の位置関係を、クロスＢで隠れている台座から突出しているビスの頭あるいは台座に形成されている隆起もしくは窪みのうちの少なくとも一つにより、クロスＢの上から目印として確認することができるから、クロスＢを貼った後に簡単かつ正確にブラケットを取り付けることができる。従って、従来必ず行わなければならなかった厄介なクロスカットを一切無くすることができる。そして、クロスＢをカットすることなく、手すりをいわゆる後付けで簡単かつ正確に取り付けることができ、かつ、施工スピードをアップさせることができ、仕上がりも綺麗になる。
【００６９】
請求項２記載の手すり固定機構を用いた場合には、ブラケットの取付座で台座をほとんど覆い隠すことができる。従って、壁に取り付けた台座付近にクロスのシワが発生していても、ブラケット取付後においてそれを隠すことができる。
【００７０】
請求項３記載の手すり固定機構を用いた場合には、台座の隆起物である突起に向けてブラケットを近付け、その取付座に形成されている切欠孔に突起を嵌入させるだけで、壁Ａに貼り付けたクロスＢの上から簡単かつ正確にブラケットをクロスで隠れている台座に結合できる。
【００７１】
請求項４記載の手すり固定機構を用いた場合には、台座の隆起物である半円状の突起に向けてブラケットを近付け、その取付座に形成されている半円状の窪みに台座の半円状の突起を嵌入させるだけで、壁Ａに貼り付けたクロスＢの上から簡単かつ正確にブラケットをクロスで隠れている台座に結合できる。
【００７２】
請求項５記載の手すり固定機構を用いた場合には、台座の窪みである切欠孔に向けてブラケットを近付け、その取付座に形成されている突起を嵌入させるだけで、壁Ａに貼り付けたクロスＢの上から簡単かつ正確にブラケットをクロスで隠れている台座に結合できる。
【００７３】
請求項６記載の手すり固定機構を用いた場合には、取付座に形成されている取付ねじ挿通部から取付ねじＥを挿通し、それを台座に形成されているねじ孔に螺着するだけで、壁に取り付けられていてクロスで隠れている台座にブラケットを強固に結合できる。
【００７４】
請求項７記載の手すり固定機構を用いた場合には、クロスの上から台座にブラケットの取付座を重ね合わせたとき、両者の係合手段としての左右対称的な方形状の切欠孔に、左右対称的な方形状の突起が嵌入され、それらの４つのコーナーを含む周辺部のいずれかが互いに当接し、取付ねじＥを外すか緩めても、壁Ａに取り付けられている台座から、ブラケットが外れない。
【００７５】
請求項８記載の手すり固定機構を用いた場合には、壁Ａに取り付けられている台座を覆い隠すように貼り付けられているクロスＢを介して、台座にブラケットの取付座を密着させることができるから、貼付後のクロスＢで隠れている台座に対してブラケットがガタ付くことがなく、ブラケットを強固に固定できる。
【００７６】
請求項９記載の手すり固定機構を用いた場合には、左右対称的な方形状の切欠孔に左右対称的な方形状の突起が嵌入されたとき、それらの４つのコーナーを含む周辺部のいずれかが互いに強く当接し合うから、取付ねじＥを外すか緩めても、壁Ａに取り付けられている台座から、ブラケットが外れない。また、方形状の切欠孔が斜め上方に行くに従って外側を向くように傾斜させてあるから、取付座と台座の強度も保証される。
【００７７】
請求項１０記載の手すり固定機構を用いた場合には、左右対称的な方形状の切欠孔に左右対称的な方形状の突起が嵌入されたとき、それらの４つのコーナーを含む周辺部のうち上側の周辺部でそれらが互いにより一層強く当接し合うから、取付ねじＥを外すか緩めても、壁Ａに取り付けられている台座から、ブラケットが一層外れないものとすることができる。
【００７８】
請求項１１記載の手すり固定機構を壁に取り付ける方法を採用した場合には、カッターを使用しないでそのまま壁ＡにクロスＢを貼ることができる。そして、壁Ａに貼り付けたクロスＢで覆われていて見えない台座とクロスＢを介してその上に重ね合わせる取付座の位置関係を、クロスＢで隠れている台座から突出しているビスの頭あるいは台座に形成されている隆起もしくは窪みのうちの少なくとも一つにより、クロスＢの上から目印として確認することができるから、クロスＢを貼った後に簡単かつ正確にブラケットを取り付けることができる。従って、従来必ず行わなければならなかった厄介なクロスカットを一切無くすることができる。そして、クロスＢをカットすることなく、手すりをいわゆる後付けで簡単かつ正確に取り付けることができ、かつ、施工スピードをアップさせることができ、仕上がりも綺麗になる。
【００７９】
請求項１２記載の手すり固定機構を壁に取り付ける方法を採用した場合には、貼付後のクロスＢで隠れている台座に対してブラケットがガタ付くことがなく、ブラケットを強固に固定できる。
【図面の簡単な説明】
【図１】第１の実施の形態を採用した壁受タイプのブラケットを例示する概略図で、（ａ）はブラケットの正面図、（ｂ）は台座の平面図、（ｃ）は取付座に被せるカバーの平面図、（ｄ）は台座の側面図ある。
【図２】図１に示す壁受タイプのブラケットの取付方法を示す概略図で、（ａ）は壁に取り付けた台座の上からクロスを貼った状態と、クロスで隠れている台座に向けて壁受タイプのブラケットを近付ける状態を示す側面図、（ｂ）は台座に取付座を重ね合わせた場合において、取付座と台座の係合手段としての左右対称的な方形状の切欠孔に、左右対称的な方形状の突起を嵌入させた状態を示す正面図で、一部を断面して示す。
【図３】第１の実施の形態を採用した首振りタイプのブラケットを例示する概略図で、（ａ）はブラケットの正面図、（ｂ）は台座の平面図、（ｃ）は取付座に被せるカバーの平面図、（ｄ）は台座の側面図ある。
【図４】図３に示す首振りタイプのブラケットの取付方法を示す概略図で、（ａ）は壁に取り付けた台座の上からクロスを貼った状態と、クロスで隠れている台座に向けて壁受タイプのブラケットを近付ける状態を示す側面図、（ｂ）は台座に取付座を重ね合わせた場合において、取付座と台座の係合手段としての左右対称的な方形状の切欠孔に、左右対称的な方形状の突起を嵌入させた状態を示す正面図で、一部を断面して示す。
【図５】第１の実施の形態を採用したコーナーブラケットを例示する概略図で、（ａ）は一部を切り欠いて示す平面図、（ｂ）はカバーを外した場合の斜視図、（ｃ）は台座の平面図、（ｄ）は台座の側面図ある。
【図６】図５に示すコーナーブラケットの取付方法を示す概略図で、（ａ）は壁に取り付けた台座の上からクロスを貼った状態と、クロスで隠れている台座に向けて壁受タイプのブラケットを近付ける状態を示す側面図、（ｂ）は台座に取付座を重ね合わせた場合において、台座の突起が取付座の切欠孔に嵌まった状態を示す断面図である。
【図７】第１の実施の形態を採用したエンドブラケットを例示する概略図で、（ａ）は一部を切り欠いて示す平面図、（ｂ）は台座の平面図、（ｃ）は台座の側面図、（ｄ）は台座と取付座とを重ね合わせたブラケット全体の斜視図である。
【図８】図７に示すエンドブラケットの取付方法を示す概略図で、（ａ）は壁に取り付けた台座の上からクロスを貼った状態と、クロスで隠れている台座に向けて壁受タイプのブラケットを近付ける状態を示す平面図、（ｂ）は台座に取付座を重ね合わせた場合において、台座の突起が取付座の切欠孔に嵌まった状態を示す断面図である。
【図９】第１の実施の形態を採用した直受タイプのブラケットを例示する概略図で、（ａ）はブラケットの正面図、（ｂ）はブラケットの斜視図、（ｃ）は台座の平面図、（ｄ）は取付座に被せるカバーの平面図、（ｅ）は台座の側面図ある。
【図１０】図９に示す直受タイプのブラケットの取付方法を示す概略図で、（ａ）は壁に取り付けた台座の上からクロスを貼った状態と、クロスで隠れている台座に向けて壁受タイプのブラケットを近付ける状態を示す平面図、（ｂ）は台座に取付座を重ね合わせた場合において、台座の突起が取付座の切欠孔に嵌まった状態を示す断面図である。
【図１１】第２の実施の形態を採用した壁受タイプのブラケットを例示する概略図で、（ａ）はブラケットの正面図、（ｂ）は取付座の部分の断面図、（ｃ）は台座の平面図、（ｄ）は取付座に被せるカバーの平面図、（ｅ）は台座の側面図ある。
【図１２】図１１に示す壁受タイプのブラケットの取付方法を示す概略図で、（ａ）は壁に取り付けた台座の上からクロスを貼った状態と、クロスで隠れている台座に向けて壁受タイプのブラケットを近付ける状態を示す側面図、（ｂ）は台座に取付座を重ね合わせた場合において、台座に形成した断面半円状の突起と取付座の断面半円状の窪みの嵌合状態と、取付座に形成した突起と台座の切欠孔の嵌合状態を示す断面図である。
【図１３】第２の実施の形態を採用した首振りタイプのブラケットを例示する概略図で、（ａ）はブラケットの正面図、（ｂ）は取付座の部分の断面図、（ｃ）は台座の平面図、（ｄ）は取付座に被せるカバーの平面図、（ｅ）は台座の側面図ある。
【図１４】図１３に示す首振りタイプのブラケットの取付方法を示す概略図で、（ａ）は壁に取り付けた台座の上からクロスを貼った状態と、クロスで隠れている台座に向けて壁受タイプのブラケットを近付ける状態を示す側面図、（ｂ）は台座に取付座を重ね合わせた場合において、台座に形成した断面半円状の突起と取付座の断面半円状の窪みの嵌合状態と、取付座に形成した突起と台座の切欠孔の嵌合状態を示す断面図である。
【図１５】第２の実施の形態を採用したコーナーブラケットを例示する概略図で、（ａ）は一部を切り欠いて示す平面図、（ｂ）はカバーを外した場合の斜視図、（ｃ）は台座の平面図、（ｄ）は台座の側面図ある。
【図１６】図１５に示すコーナーブラケットの取付方法を示す概略図で、（ａ）は壁に取り付けた台座の上からクロスを貼った状態と、クロスで隠れている台座に向けて壁受タイプのブラケットを近付ける状態を示す側面図、（ｂ）は台座に取付座を重ね合わせた場合において、台座に形成した断面半円状の突起と取付座の断面半円状の窪みの嵌合状態と、取付座に形成した突起と台座の切欠孔の嵌合状態を示す断面図である。
【図１７】第２の実施の形態を採用したエンドブラケットを例示する概略図で、（ａ）は一部を切り欠いて示す平面図、（ｂ）は台座の平面図、（ｃ）は台座の側面図、（ｄ）は台座と取付座とを重ね合わせたブラケット全体の斜視図である。
【図１８】図１７に示すエンドブラケットの取付方法を示す概略図で、（ａ）は壁に取り付けた台座の上からクロスを貼った状態と、クロスで隠れている台座に向けて壁受タイプのブラケットを近付ける状態を示す平面図、（ｂ）は台座に取付座を重ね合わせた場合において、台座の突起が取付座の切欠孔に嵌まった状態を示す断面図である。
【図１９】第２の実施の形態を採用した直受タイプのブラケットを例示する概略図で、（ａ）はブラケットの正面図、（ｂ）はその一部の断面図、（ｃ）は台座の平面図、（ｄ）は取付座に被せるカバーの平面図、（ｅ）は台座の側面図ある。
【図２０】図１９に示す直受タイプのブラケットの取付方法を示す概略図で、（ａ）は壁に取り付けた台座の上からクロスを貼った状態と、クロスで隠れている台座に向けて壁受タイプのブラケットを近付ける状態を示す平面図、（ｂ）は台座に取付座を重ね合わせた場合において、台座の突起が取付座の切欠孔に嵌まった状態を示す断面図である。
【図２１】直受タイプのブラケットを例に挙げて、台座と取付座との嵌合ないし係合部分に、クロスの厚み分の隙間が形成されていることを説明するための概略図で、（ａ）は第１の実施の形態を採用した場合を、（ｂ）は第２の実施の形態を採用した場合を示す。
【図２２】取付座に形成されている切欠孔を示す概略図で、（ａ）はこの切欠孔を拡大して示す断面図、（ｂ）は台座に形成されている突起をこの切欠孔に嵌入させた状態を示す断面図である。
【図２３】クロスを使用しない所で、第１の実施の形態を採用した直受タイプのブラケットを使用する場合の一例を示す概略図で、（ａ）は笠木に台座を取り付け、これに向けて直受タイプのブラケットを近付ける状態を示す側面図、（ｂ）は台座に形成されている突起を取付座の切欠孔に嵌入させた状態を側面図で、一部を切り欠いて示す。
【図２４】クロスを使用しない所で、第２の実施の形態を採用した直受タイプのブラケットを使用する場合の一例を示す概略図で、（ａ）は笠木に台座を取り付け、これに向けて直受タイプのブラケットを近付ける状態を示す側面図、（ｂ）は台座に形成されている突起を取付座の切欠孔に嵌入させた状態を側面図で、一部を切り欠いて示す。
【図２５】各種の手すり取付用ブラケットの使用状態を示す概略図で、（ａ）は壁受タイプのブラケットの使用状態を、（ｂ）は首振りタイプのブラケットの使用状態を、（ｃ）はエンドブラケットの使用状態を、（ｄ）はエンドブラケットの使用状態を、（ｅ）はクロスを使用する所での直受タイプの使用状態を、（ｆ）はクロスを使用しない所での直受タイプの使用状態をそれぞれ示す。
【図２６】連続手すりの取付状態の一例を示す斜視図である。
【符号の説明】
１，２，３，４，５…台座、１ｂ，２ｂ，３ｂ，４ｂ，５ｂ…ねじ孔、１ｃ，２ｃ，３ｃ，４ｃ，５ｃ…突起、１１，２１，３１，４１，５１…ブラケット、１１ａ，２１ａ，３１ａ，４１ａ，５１ａ…取付座、１１ｅ，２１ｆ，３１ｇ，４１ｇ，５１ｅ…取付ねじ挿通部、１１ｆ，２１ｇ，３１ｈ，４１ｈ，５１ｆ…切欠孔、１１ｇ，２１ｈ，３１ｉ，４１ｉ，５１ｇ…窪み、１１１，２１１，３１１…カバー、１’，２’，３’、４’，５’…台座、１ｂ’，２ｂ’，３ｂ’，４ｂ’，５ｂ’…ねじ孔、１ｃ’，２ｃ’，３ｃ’，４ｃ’，５ｃ’…切欠孔、１ｄ’，２ｄ’，３ｄ’，４ｄ’，５ｄ’…突起、１１’，２１’，３１’，４１’，５１’…ブラケット、１１ａ’，２１ａ’，３１ａ’，４１ａ’，５１ａ’…取付座、１１ｅ’，２１ｆ’，３１ｇ’，４１ｇ’，５１ｅ’…取付ねじ挿通部、１１ｆ’，２１ｇ’，３１ｈ’，４１ｈ’，５１ｆ’…突起、１１ｇ’，２１ｈ’，３１ｉ’，４１ｉ’，５１ｇ’…窪み、１１ｈ’，２１ｉ’，３１ｊ’，４１ｊ’，５１ｈ’…窪み、１１１’，２１１’，３１１’…カバー、Ａ…壁、Ｂ…クロス、Ｃ…手すり部材、Ｄ…ビス、Ｅ…取付ねじ。
【図１】
2004324231.tif 000003
【図２】
2004324231.tif 000004
【図３】
2004324231.tif 000005
【図４】
2004324231.tif 000006
【図５】
2004324231.tif 000007
【図６】
2004324231.tif 000008
【図７】
2004324231.tif 000009
【図８】
2004324231.tif 000010
【図９】
2004324231.tif 000011
【図１０】
2004324231.tif 000012
【図１１】
2004324231.tif 000013
【図１２】
2004324231.tif 000014
【図１３】
2004324231.tif 000015
【図１４】
2004324231.tif 000016
【図１５】
2004324231.tif 000017
【図１６】
2004324231.tif 000018
【図１７】
2004324231.tif 000019
【図１８】
2004324231.tif 000020
【図１９】
2004324231.tif 000021
【図２０】
2004324231.tif 000022
【図２１】
2004324231.tif 000023
【図２２】
2004324231.tif 000024
【図２３】
2004324231.tif 000025
【図２４】
2004324231.tif 000026
【図２５】
2004324231.tif 000027
【図２６】
2004324231.tif 000028
【手続補正書】
【提出日】平成16年2月20日(2004.2.20)
【手続補正１】
【補正対象書類名】明細書
【補正対象項目名】００３９
【補正方法】変更
【補正の内容】
【００３９】
各ビス挿通部11d，21e，31f，41f，51d以外の部位には、孔である取付ねじ挿通部11e，21f，31g，41g，51eが、また、両挿通部以外の部位には、切欠孔11f，21g，31h，41h，51fが形成されている。
壁受タイプ及び首振りタイプの場合には、図１(a)、図２(b)、図３(a)、図４(b)に示すように、切欠孔11f，21gをそれぞれ左右対称的な方形状とし、斜め上方に行くに従って外側を向くように傾斜させてある。傾斜角度は４５度が最も好ましい。
また、コーナーブラケット31及びエンドブラケット41の場合には、図５(a)，(b)、図６(b)、図７(a)に示すように、切欠孔31h，41hが円板状の取付座31a，41aの中心線上である外周縁に対向させて形成されている。
直受タイプのブラケット51の場合には、図９(a)，(b)に示すように、切欠孔51fが平面略十字状である取付座51aの縦方向部分に横向きに１つ形成されている。


【手続補正２】
【補正対象書類名】明細書
【補正対象項目名】００４２
【補正方法】変更
【補正の内容】
【００４２】
各取付座11a，21a，31a，41a，51aは各台座１，２，３，４，５より大きくするとともに、各取付座11a，21a，31a，41a，51aの下面に台座１，２，３，４，５を嵌入させ得る窪み11g，21h，31i，41i，51gを形成してある。このようにすることにより、取付座11a，21a，31a，41a，51aを台座１，２，３，４，５に重ね合わせたとき台座１，２，３，４，５が隠れる。
また、各台座１，２，３，４，５には、各取付座11a，21a，31a，41a，51aに形成されている切欠孔11f，21g，31h，41h，51fに対峙する位置に、それに嵌入させ得る突起1c，2c，3c，4c，5cが形成されている。
壁受タイプ及び首振りタイプの場合には、図１(b)、図３(b)に示すように、突起1c、2cをそれぞれ左右対称的な方形状とし、斜め上方に行くに従って外側を向くように傾斜させてある。傾斜角度は４５度が最も好ましい。
また、コーナーブラケット31及びエンドブラケット41の場合には、図５(c)、図７(b)に示すように、突起3c、4cが円板状の中心線上の両端を切り欠いた部分に横向きに対向させて形成されている。
直受タイプの場合には、図９(c)に示すように、突起5cは円板状の中心線上の一方を切り欠いた部分に横向きに１つ形成されている。


【手続補正３】
【補正対象書類名】明細書
【補正対象項目名】００４４
【補正方法】変更
【補正の内容】
【００４４】
すると、各台座１，２，３，４，５の突起1c，2c，3c，4c，5cに各ブラケット11，21，31，41，51の各取付座11a，21a，31a，41a，51aに形成されている切欠孔11f，21g，31h，41h，51fが嵌まり、両者を係合させることができる。しかる後、各取付座11a，21a，31a，41a，51aに形成されている取付ねじ挿通部11e，21f，31g，41g，51eから取付ねじＥをそれぞれ差し込み、その先端のねじ部分を各台座１，２，３，４，５のねじ孔1b，2b，3b，4b，5bに螺着すると、壁Ａに取り付けられている各台座１，２，３，４，５にブラケット11，21，31，41，51を重ね合わせて固定できる。


【手続補正４】
【補正対象書類名】明細書
【補正対象項目名】００４７
【補正方法】変更
【補正の内容】
【００４７】
（第２の実施の形態の説明）
壁受タイプのブラケット11'の取付座11a'には、図１１(a)に示すように、３つの孔が形成されており、その部分をビス挿通部11d'として利用し得るようになっている。同じく、首振りタイプのブラケット21'の取付座21a'にも、図１３(a)に示すように、３つの孔が形成されており、その部分をビス挿通部21e'として利用し得るようになっている。
また、コーナーブラケット31'の取付座31a'には、図１５(a)，(b)に示すように、孔からなる３つのビス挿通部31f'が、エンドブラケット41'の取付座41a'にも、図１７(a)に示すように、孔からなる３つのビス挿通部41f'が形成されている。
一方、直受タイプのブラケット51'の取付座51a'は、図１９(a)に示すように、孔からなる４つのビス挿通部51d'が形成されている。


【手続補正５】
【補正対象書類名】明細書
【補正対象項目名】００４８
【補正方法】変更
【補正の内容】
【００４８】
各ビス挿通部11d'，21e'，31f'，41f'，51d'以外の部位には、孔である取付ねじ挿通部11e'，21f'，31g'，41g'，51e'が、また、両挿通部以外の部位には、下方へ向けて突起11f'，21g'，31h'，41h'，51f'が形成されている。
壁受タイプ及び首振りタイプの場合には、図１１(a)、図１３(a)に示すように、突起11f'，21g'をそれぞれ左右対称的な方形状とし、斜め上方に行くに従って外側を向くように傾斜させてある。傾斜角度は４５度が最も好ましい。
また、コーナーブラケット31'及びエンドブラケット41'の場合には、図１５(a)、図１６(a)、図１７(a)、図１８(a)に示すように、突起31h'，41h'が円板状の取付座31a'，41a'の中心線上に横向きに１つ形成されている。
直受タイプのブラケット51'の場合には、図１９(a)，(b)に示すように、突起51f'が円板状である取付座51a'の縦方向の中心線上に横向きに１つ形成されている。


【手続補正６】
【補正対象書類名】明細書
【補正対象項目名】００４９
【補正方法】変更
【補正の内容】
【００４９】
一方、手すりブラケットの取付座11a'，21a'，31a'，41a'，51a'を取り付けるための各台座1'，2'，3'，4'，5'は、壁受タイプ及び首振りタイプの場合には、図１１(c)、図１３(c)に示すように、ともに円板状であって、両者を共通して使用できる。
また、コーナーブラケット31'及びエンドブラケット41'の場合には、図１５(c)、図１７(b)に示すように、ともに円板状であり、両者を共通して使用できる。
直受タイプの場合には、図１９(c)に示すように、円板状である。


【手続補正７】
【補正対象書類名】明細書
【補正対象項目名】００５１
【補正方法】変更
【補正の内容】
【００５１】
各取付座11a'，21a'，31a'，41a'，51a'は各台座1'，2'，3'，4'，5'より大きくするとともに、各取付座11a'，21a'，31a'，41a'，51a'の下面に台座1'，2'，3'，4'，5'を嵌入させ得る窪み11g'，21h'，31i'，41i'，51g'を形成してある。このようにすることにより、取付座11a'，21a'，31a'，41a'，51a'を台座1'，2'，3'，4'，5'に重ね合わせたとき台座1'，2'，3'，4'，5'が隠れる。
また、各台座1'，2'，3'，4'，5'には、各取付座11a'，21a'，31a'，41a'，51a'に形成されている突起11f'，21g'，31h'，41h'，51f'に対峙する位置に、それに嵌入させ得る切欠孔1c'，2c'，3c'，4c'，5c'が形成されている。
壁受タイプ及び首振りタイプの場合には、図１１(c)、図１３(c)に示すように、切欠孔1c'，2c'をそれぞれ左右対称的な方形状とし、斜め上方に行くに従って外側を向くように傾斜させてある。傾斜角度は４５度が最も好ましい。
また、コーナーブラケット31'及びエンドブラケット41'の場合には、図１５(c)、図１７(b)に示すように、切欠孔3c'，4c'が円板状の中心線上に横向きに１つ形成されている。
直受タイプの場合には、図１９(c)に示すように、切欠孔5c'は円板状の中心線上に横向きに１つ形成されている。


【手続補正８】
【補正対象書類名】明細書
【補正対象項目名】００５６
【補正方法】変更
【補正の内容】
【００５６】
このように、第２の実施の形態の手すり固定機構でも、カッターを使用しないでそのまま壁ＡにクロスＢを貼ることができ、しかる後、貼付後のクロスＢで隠れている各台座1'，2'，3'，4'，5'の位置を壁Ａに貼り付けたクロスＢの上から確認しながら、直接ブラケット11'，21'，31'，41'，51'を取り付けることができる。従って、従来必ず行わなければならなかった厄介なクロスカットを一切無くすることができる。そして、クロスＢをカットすることなく、手すりをいわゆる後付けで簡単かつ正確に取り付けることができ、かつ、施工スピードをアップさせることができ、仕上がりも綺麗になる。
壁に取り付けた台座がクロスから露出するようにクロスをカットしながらクロスを貼る作業は、この作業に習熟した職人でないとうまくできないが、クロスをカットしなくてもよいクロス貼り作業であれば、その作業になれていない人でも施工可能である。


【手続補正９】
【補正対象書類名】明細書
【補正対象項目名】００５８
【補正方法】変更
【補正の内容】
【００５８】
また、第２の実施の形態の手すり固定機構を採用している直受タイプのブラケット51'を例に挙げて説明すると、台座5'とこれに結合させる取付座51a'の嵌合ないし係合部分、例えば、図２１(b)において、台座5'の周縁部と取付座51a'の窪み51g'の内周面との間にクロスＢの厚み分の隙間T4が、台座5'上面と取付座51a'の下面との間にクロスＢの厚み分の隙間T5が、また、台座5'に形成されている断面半円状の突起5d'外面とこれと嵌合する取付座51a'の断面半円状の窪み51h'内面との間にクロスＢの厚み分の隙間T6などが形成されるようにしておくとよい。


【手続補正１０】
【補正対象書類名】明細書
【補正対象項目名】００５９
【補正方法】変更
【補正の内容】
【００５９】
このようにした場合には、壁Ａに取り付けられている台座５，5'を覆い隠すように貼り付けられているクロスＢを介して、台座５，5'にブラケット51，51'の取付座51a，51a'を密着させることができる。従って、貼付後のクロスＢで隠れている台座５，5'に対してブラケット51，51'がガタ付くことがなく、ブラケット51，51'を強固に固定できる。


【手続補正１１】
【補正対象書類名】明細書
【補正対象項目名】００６４
【補正方法】変更
【補正の内容】
【００６４】
上述した第１と第２の実施の形態に係る手すり固定機構のうち、壁受タイプ、首振りタイプ及び直受タイプのブラケット11，11'，21，21'，51，51'には、図１(c)、図１１(d)、図３(c)、図１３(d)、図９(d)、図１９(d)に示すように、いずれもカバー111，111'，211，211'，511，511'が備えられている。各カバー111，111'，211，211'，511，511'にはＵ字状の切欠111a，111a'，211a，211a'，511a，511a'が形成されており、各切欠111a，111a'，211a，211a'，511a，511a'からブラケット11，11'，21，21'の支持腕11b，11b'，21b，21b'やブラケット51，51'の支持体51b，51b'を差し込むことにより、取付座11a，11a'，21a，21a'，51a，51a'に被せることができる。従って、取付後のビスＤや取付ねじＥが見えないように、ブラケット11，11'，21，21'，51，51'の取付座11a，11a'，21a，21a'，51a，51a'部分を覆い隠すことができる。


【手続補正１２】
【補正対象書類名】明細書
【補正対象項目名】００６５
【補正方法】変更
【補正の内容】
【００６５】
また、上述した第１と第２の実施の形態に係る手すり固定機構のうち、コーナーブラケット31，31'、エンドブラケット41，41'についても、図５(a)、図６(b)、図１５(a)、図７(d)、図１７(d)に示すように、カバー311，311'，411，411'が備えられている。両タイプのブラケット31，31'，41，41'の場合は、壁受タイプ、首振りタイプ及び直受タイプのブラケット11，11'，21，21'，51，51'の場合と異なり、取付座31a，31a'，41a，41a'に直接被せるのではなく、その上方の開口部分に被せ、開口部分を覆い隠すものである。この場合においても、取付後のビスＤや取付ねじＥが見えないようにすることができる。


【手続補正１３】
【補正対象書類名】明細書
【補正対象項目名】００６６
【補正方法】変更
【補正の内容】
【００６６】
上述の実施の形態においては、台座１，２，３，４，５に突起1c，2c，3c，4c，5cや台座1'，2'，3'，4'，5'に突起1d'，2d'，3d'，4d'，5d'、あるいは、切欠孔1c'，2c'，3c'，4c'，5c'を形成し、それらと嵌合ないし係合する切欠孔11f，21g，31h，41h，51fや窪み11h'，21i'，31j'，41j'，51h'、あるいは、突起11f'，21g'，31h'，41h'，51f'を取付座11a，21a，31a，41a，51aや取付座11a'，21a'，31a'，41a'，51a'に形成し、両者を嵌合ないし係合させる場合を例示したが、台座に形成する切欠孔1c'，2c'，3c'，4c'，5c'を単なる窪みとしてもよく、また、取付座11a，21a，31a，41a，51aに形成する切欠孔11f，21g，31h，41h，51fを単なる窪みとしてもよい。また、台座と取付座との嵌合ないし係合手段もここに例示した場合のみに限定されるものではない。
要するに、ビスＤで壁Ａに直接台座を取り付けた後その上からそれを覆い隠すようにクロスＢを貼ったとき、壁Ａに貼り付けたクロスＢの上から台座の位置とこれに重ね合わせる取付座の取付位置とを確認できるような隆起もしくは窪みが少なくとも台座に形成されておればよい。そして、この台座に重ね合わせる取付座には、この隆起もしくは窪みと嵌合ないし係合する窪みもしくは隆起物が形成されておればよい。


【手続補正１４】
【補正対象書類名】明細書
【補正対象項目名】図４
【補正方法】変更
【補正の内容】
【図４】図３に示す首振りタイプのブラケットの取付方法を示す概略図で、(a)は壁に取り付けた台座の上からクロスを貼った状態と、クロスで隠れている台座に向けて首振りタイプのブラケットを近付ける状態を示す側面図、(b)は台座に取付座を重ね合わせた場合において、取付座と台座の係合手段としての左右対称的な方形状の切欠孔に、左右対称的な方形状の突起を嵌入させた状態を示す正面図で、一部を断面して示す。


【手続補正１５】
【補正対象書類名】明細書
【補正対象項目名】図６
【補正方法】変更
【補正の内容】
【図６】図５に示すコーナーブラケットの取付方法を示す概略図で、(a)は壁に取り付けた台座の上からクロスを貼った状態と、クロスで隠れている台座に向けてコーナーブラケットを近付ける状態を示す側面図、(b)は台座に取付座を重ね合わせた場合において、台座の突起が取付座の切欠孔に嵌まった状態を示す断面図である。


【手続補正１６】
【補正対象書類名】明細書
【補正対象項目名】図８
【補正方法】変更
【補正の内容】
【図８】図７に示すエンドブラケットの取付方法を示す概略図で、(a)は壁に取り付けた台座の上からクロスを貼った状態と、クロスで隠れている台座に向けてエンドブラケットを近付ける状態を示す平面図、(b)は台座に取付座を重ね合わせた場合において、台座の突起が取付座の切欠孔に嵌まった状態を示す断面図である。


【手続補正１７】
【補正対象書類名】明細書
【補正対象項目名】図１０
【補正方法】変更
【補正の内容】
【図１０】図９に示す直受タイプのブラケットの取付方法を示す概略図で、(a)は壁に取り付けた台座の上からクロスを貼った状態と、クロスで隠れている台座に向けて直受タイプのブラケットを近付ける状態を示す平面図、(b)は台座に取付座を重ね合わせた場合において、台座の突起が取付座の切欠孔に嵌まった状態を示す一部切欠の平面図である。


【手続補正１８】
【補正対象書類名】明細書
【補正対象項目名】図１２
【補正方法】変更
【補正の内容】
【図１２】図１１に示す壁受タイプのブラケットの取付方法を示す概略図で、(a)は壁に取り付けた台座の上からクロスを貼った状態と、クロスで隠れている台座に向けて壁受タイプのブラケットを近付ける状態を示す側面図、(b)は台座に取付座を重ね合わせた場合において、台座に形成した断面半円状の突起と取付座の断面半円状の窪みの嵌合状態と、取付座に形成した突起と台座の切欠孔の嵌合状態を示す一部切欠の側面図である。


【手続補正１９】
【補正対象書類名】明細書
【補正対象項目名】図１４
【補正方法】変更
【補正の内容】
【図１４】図１３に示す首振りタイプのブラケットの取付方法を示す概略図で、(a)は壁に取り付けた台座の上からクロスを貼った状態と、クロスで隠れている台座に向けて首振りタイプのブラケットを近付ける状態を示す側面図、(b)は台座に取付座を重ね合わせた場合において、台座に形成した断面半円状の突起と取付座の断面半円状の窪みの嵌合状態と、取付座に形成した突起と台座の切欠孔の嵌合状態を示す一部切欠の側面図である。


【手続補正２０】
【補正対象書類名】明細書
【補正対象項目名】図１６
【補正方法】変更
【補正の内容】
【図１６】図１５に示すコーナーブラケットの取付方法を示す概略図で、(a)は壁に取り付けた台座の上からクロスを貼った状態と、クロスで隠れている台座に向けてコーナーブラケットを近付ける状態を示す側面図、(b)は台座に取付座を重ね合わせた場合において、台座に形成した断面半円状の突起と取付座の断面半円状の窪みの嵌合状態と、取付座に形成した突起と台座の切欠孔の嵌合状態を示す断面図である。


【手続補正２１】
【補正対象書類名】明細書
【補正対象項目名】図１８
【補正方法】変更
【補正の内容】
【図１８】図１７に示すエンドブラケットの取付方法を示す概略図で、(a)は壁に取り付けた台座の上からクロスを貼った状態と、クロスで隠れている台座に向けてエンドブラケットを近付ける状態を示す平面図、(b)は台座に取付座を重ね合わせた場合において、台座に形成した断面半円状の突起と取付座の断面半円状の窪みの嵌合状態と、取付座に形成した突起と台座の切欠孔の嵌合状態を示す断面図である。


【手続補正２２】
【補正対象書類名】明細書
【補正対象項目名】図２０
【補正方法】変更
【補正の内容】
【図２０】図１９に示す直受タイプのブラケットの取付方法を示す概略図で、(a)は壁に取り付けた台座の上からクロスを貼った状態と、クロスで隠れている台座に向けて直受タイプのブラケットを近付ける状態を示す平面図、(b)は台座に取付座を重ね合わせた場合において、台座に形成した断面半円状の突起と取付座の断面半円状の窪みの嵌合状態と、取付座に形成した突起と台座の切欠孔の嵌合状態を示す一部切欠の平面図である。


【手続補正２３】
【補正対象書類名】明細書
【補正対象項目名】図２３
【補正方法】変更
【補正の内容】
【図２３】クロスを使用しない所で、第１の実施の形態を採用した直受タイプのブラケットを使用する場合の一例を示す概略図で、(a)は笠木に台座を取り付け、これに向けて直受タイプのブラケットを近付ける状態を示す側面図、(b)は台座に形成されている突起を取付座の切欠孔に嵌入させた状態を示す側面図で、一部を切り欠いて示す。


【手続補正２４】
【補正対象書類名】明細書
【補正対象項目名】図２４
【補正方法】変更
【補正の内容】
【図２４】クロスを使用しない所で、第２の実施の形態を採用した直受タイプのブラケットを使用する場合の一例を示す概略図で、(a)は笠木に台座を取り付け、これに向けて直受タイプのブラケットを近付ける状態を示す側面図、(b)は台座に形成した断面半円状の突起と取付座の断面半円状の窪みの嵌合状態と、取付座に形成した突起と台座の切欠孔の嵌合状態を示す側面図で、一部を切り欠いて示す。


【手続補正２５】
【補正対象書類名】明細書
【補正対象項目名】図２５
【補正方法】変更
【補正の内容】
【図２５】各種の手すり取付用ブラケットの使用状態を示す概略図で、(a)は壁受タイプのブラケットの使用状態を、(b)は首振りタイプのブラケットの使用状態を、(c)はコーナーブラケットの使用状態を、(d)はエンドブラケットの使用状態を、(e)はクロスを使用する所での直受タイプの使用状態を、(f)はクロスを使用しない所での直受タイプの使用状態をそれぞれ示す。


【手続補正２６】
【補正対象書類名】明細書
【補正対象項目名】符号の説明
【補正方法】変更
【補正の内容】
【符号の説明】
１，２，３，４，５…台座、1b，2b，3b，4b，5b…ねじ孔、1c，2c，3c，4c，5c…突起、11，21，31，41，51…ブラケット、11a，21a，31a，41a，51a…取付座、11e，21f，31g，41g，51e…取付ねじ挿通部、11f，21g，31h，41h，51f…切欠孔、11g，21h，31i，41i，51g…窪み、111，211，311，411，511…カバー、1'，2'，3'、4'，5'…台座、1b'，2b'，3b'，4b'，5b'…ねじ孔、1c'，2c'，3c'，4c'，5c'…切欠孔、1d'，2d'，3d'，4d'，5d'…突起、11'，21'，31'，41'，51'…ブラケット、11a'，21a'，31a'，41a'，51a'…取付座、11e'，21f'，31g'，41g'，51e'…取付ねじ挿通部、11f'，21g'，31h'，41h'，51f'…突起、11g'，21h'，31i'，41i'，51g'…窪み、11h'，21i'，31j'，41j'，51h'…窪み、111'，211'，311'，411'，511'…カバー、Ａ…壁、Ｂ…クロス、Ｃ…手すり部材、Ｄ…ビス、Ｅ…取付ねじ。


【手続補正２７】
【補正対象書類名】図面
【補正対象項目名】図１１
【補正方法】変更
【補正の内容】
【図１１】
2004324231.tif 000029
【手続補正２８】
【補正対象書類名】図面
【補正対象項目名】図１２
【補正方法】変更
【補正の内容】
【図１２】
2004324231.tif 000030
【手続補正２９】
【補正対象書類名】図面
【補正対象項目名】図１３
【補正方法】変更
【補正の内容】
【図１３】
2004324231.tif 000031
【手続補正３０】
【補正対象書類名】図面
【補正対象項目名】図１５
【補正方法】変更
【補正の内容】
【図１５】
2004324231.tif 000032
【手続補正３１】
【補正対象書類名】図面
【補正対象項目名】図１６
【補正方法】変更
【補正の内容】
【図１６】
2004324231.tif 000033
【手続補正３２】
【補正対象書類名】図面
【補正対象項目名】図１７
【補正方法】変更
【補正の内容】
【図１７】
2004324231.tif 000034
【手続補正３３】
【補正対象書類名】図面
【補正対象項目名】図１９
【補正方法】変更
【補正の内容】
【図１９】
2004324231.tif 000035
【手続補正３４】
【補正対象書類名】図面
【補正対象項目名】図２１
【補正方法】変更
【補正の内容】
【図２１】
2004324231.tif 000036
【手続補正３５】
【補正対象書類名】図面
【補正対象項目名】図２２
【補正方法】変更
【補正の内容】
【図２２】
2004324231.tif 000037